(57)【特許請求の範囲】
【請求項１】
画像表示装置の画面を取り囲む枠部の前面に取り付けた第２の構成要素を介して着脱可能であり、前記画面に埃が付着することを防止する防塵パネルであって、
前記画面を覆って前記枠部まで及ぶ大きさであり、前記画面に対向する部分が透光性を有する防塵プレートと、
埃よりも目が細かくて収縮性を有し、前記防塵プレートの縁に沿って、隙間無く、枠状に、前記防塵プレートの背面に貼り付けられ、前記枠部と当接する枠状防塵フィルタと、
前記枠状防塵フィルタの内周に沿って、前記防塵プレートの背面に付けられ、前記第２の構成要素と互いに着脱可能に構成した第１の構成要素と
を備えることを特徴とする防塵パネル。
【請求項２】
前記第１の構成要素は、前記第２の構成要素とともに構成された面ファスナーの一部であることを特徴とする請求項１に記載の防塵パネル。
【請求項３】
前記枠状防塵フィルタが、合成ゴムからなる発泡体、樹脂からなる発泡体、及び樹脂と合成ゴムとを含む発泡体のいずれかであることを特徴とする請求項１または２に記載の防塵パネル。
【発明の詳細な説明】
【技術分野】
【０００１】
本発明は、ＣＲＴや液晶ディスプレイなどの画像表示装置に埃が付着することを防止する防塵パネルに関し、特に、構成部品の点数が少なく、簡便な取り付け構造で、着脱可能な防塵パネルに関する。
【背景技術】
【０００２】
従来から、ＣＲＴ（Cathode-ray tube）や液晶ディスプレイなどの画像表示装置では、画面に静電気が発生し易く、画面に埃が付着し易い。そして、画面に埃が付着して、画面が埃で汚れて、画面が見難くなる。さらに、画面に付着した埃を拭き取るときに、画面に細かな擦傷ができる場合がある。そこで、埃の多い場所で画像表示装置を使用するときは、画面に埃が付着することを防止するために、防塵パネルで画面が覆われる。
【０００３】
例えば、映像産業分野では、屋外で撮影する場合が頻繁にある。また、撮影した内容を確認するために、屋外で画像表示装置を使用する場合がある。特に屋外のような埃の多い場所で画面を保護せずに画像表示装置を使用すると、画面に付着した埃で画面が傷つき易くなる。このため、屋外に持ち出す画像表示装置については、画面に埃が付着することを回避するために、防塵パネルで画面を保護する必要がある。同様に、埃の多い場所で使用される装置に組み込まれた画像表示装置についても、防塵パネルで画面を保護する必要がある。
【０００４】
ここでは、一例として、埃の多い場所で使用される装置として工業用制御装置について説明する（例えば、特許文献１参照。）。
図４は、従来の工業用制御装置の断面を示す断面図である。図４に示すように、工業用制御装置１は、マンマシン・インタフェイスを担当するコンソールである。スチール製の筐体２０の内部に画像表示装置３０を設置して、画面４０の前面を覆うように、筐体２０の前面に防塵パネル１０を取り付けたものである。画面４０に埃が付着することを防止するために、防塵パネル１０と筐体２０とで画像表示装置３０が密閉状態にされている。
【０００５】
防塵パネル１０は、防塵プレート１１とガスケット１２とを備える。防塵プレート１１の背面に、防塵プレート１１の縁に沿って、ガスケット１２が密着状態で取り付けられる。画面４０と対向するように防塵プレート１１が配置される。容易に取り外すことができないように、筐体２０の前面に位置する枠部２１に、しっかりと、防塵プレート１１とガスケット１２とがネジで固定される。
【０００６】
ここで、防塵プレート１１は、例えば、アクリル樹脂よりなる透光性部材である。ガスケット１２は、四角枠状の剛性ゴムスポンジ材や四本の棒状の剛性ゴムスポンジ材を四角枠状に配列したものである。
【特許文献１】実公平６−２２８７２号公報
【発明の開示】
【発明が解決しようとする課題】
【０００７】
しかしながら、上記防塵パネル１０では、防塵プレート１１に起因した偏光によって視認性が低下する。このため、防塵が必要な屋外で使用するときは、画面４０に埃が付着することを防止するために、防塵パネル１０を筐体２０に取り付けて、防塵が不要な屋内で使用するときは、画面４０を見易くするために、防塵パネル１０を筐体２０から取り外したい場合がある。
【０００８】
そこで、本発明は、上記問題に鑑みて、構成部品の点数が少なく、簡便な取り付け構造で、着脱可能な防塵パネルを提供することを目的とする。
【課題を解決するための手段】
【０００９】
上記目的を達成するために、本発明に係わる防塵パネルは、（ａ）画像表示装置の画面を取り囲む枠部の前面に取り付けた第２の構成要素を介して着脱可能であり、前記画面に埃が付着することを防止する防塵パネルであって、（ｂ）前記画面を覆って前記枠部まで及ぶ大きさであり、前記画面に対向する部分が透光性を有する防塵プレートと、（ｃ）埃よりも目が細かくて収縮性を有し、前記防塵プレートの縁に沿って、隙間無く、枠状に、前記防塵プレートの背面に貼り付けられ、前記枠部と当接する枠状防塵フィルタと、（ｄ）前記枠状防塵フィルタの内周に沿って、前記防塵プレートの背面に付けられ、前記第２の構成要素と互いに着脱可能に構成した第１の構成要素とを備える。
【発明の効果】
【００１０】
本発明によれば、第１の構成要素によって、防塵パネルを画面表示装置の画面の前面から容易に着脱することができる。特に、第１の構成要素に面ファスナーを使用することで、構成部品の点数が少なく、簡便な構成で、実現することができる。
【発明を実施するための最良の形態】
【００１１】
（実施の形態）
以下、本発明に係わる実施の形態について説明する。
図１は、本実施の形態における防塵パネルの背面側を示す斜視図と、その一部を拡大した部分拡大図である。図２は、本実施の形態における防塵パネルを画像表示装置に取り付ける様子を示す取付図である。図３は、本実施の形態における防塵パネルを筐体に取り付けたときの取付箇所の断面を示す断面図である。
【００１２】
＜防塵パネル１００＞
図１に示すように、防塵パネル１００は、防塵プレート１０２と、枠状防塵フィルタ２０２と、着脱体２０１とを備える。ここでは、一例として、図２に示すように、防塵パネル１００が画像表示装置３００に直接取り付けられる場合について説明する。
【００１３】
＜防塵プレート１０２＞
防塵プレート１０２は、形状が矩形であり、大きさが画面３４０を覆って画面３４０を取り囲む枠部３２１まで及ぶ大きさであり、画面３４０に対向する部分が透光性を有する板である。例えば、長方形のアクリル樹脂板またはガラス板などである。特に、軽量で、画面３４０の光を良く通して、多少の衝撃でも破損しないアクリル樹脂板などが好適である。
【００１４】
＜枠状防塵フィルタ２０２＞
枠状防塵フィルタ２０２は、埃よりも目が細かくて収縮性を有する発泡体を、防塵プレート１０２の縁に沿って、隙間無く、枠状に、防塵プレート１０２の背面に貼り付けたものである。また、図１に示すように、着脱体２０１よりも厚みを有して、防塵プレート１０２の縁に沿って貼り付けた発泡体が枠部３２１と当接するものである。そして、防塵パネル１００が画像表示装置３００に取り付けられるときは、図３に示すように、防塵プレート１０２と枠部３２１とで枠状防塵フィルタ２０２が押圧されて収縮して、枠状防塵フィルタ２０２が枠部３２１に密着する。これによって、防塵パネル１００と画面３４０との間に埃が入り込むことを枠状防塵フィルタ２０２で防止することができる。
【００１５】
なお、枠状防塵フィルタ２０２の材質としては、発泡性の高い樹脂からなる発泡体、発泡性の高い合成ゴムからなる発泡体、発泡性の高い樹脂と発泡性の高い合成ゴムとを含む発泡体などが挙げられる。特に、ＥＰＤＭ（エチレン−プロピレン−ジエンゴム）などの合成ゴムからなる発泡体が好適である。また、発泡体の発泡倍率としては、１０−１５倍程度が好適である。これ以外にも、枠状防塵フィルタ２０２の材質としては、ＰＥ（ポリエチレン）などのポリオレフィン系樹脂と合成ゴムとを含む発泡体としてもよい。また、発泡体の発泡倍率としては、１０−１５倍程度に限定されないとしてもよい。
【００１６】
＜着脱体２０１＞
着脱体２０１は、画像表示装置３００に防塵プレート１０２を着脱可能にさせるものである。ここでは、一例として、互いに着脱可能な第１の構成要素２０１Ａと第２の構成要素２０１Ｂとを有する面ファスナーである。第１の構成要素２０１Ａが、枠状防塵フィルタ２０２の内周に沿って、防塵プレート１０２の背面に貼り付けられる。第２の構成要素２０１Ｂが、第１の構成要素２０１Ａに対向するように、枠部３２１の前面に貼り付けられる。防塵パネル１００が画像表示装置３００に取り付けられるときは、第１の構成要素２０１Ａと第２の構成要素２０１Ｂとを密着させる。これによって、画面３４０の前方に防塵パネル１００が固定される。
【００１７】
なお、着脱体２０１としては、面ファスナー以外に、剥離可能な粘着テープなどとしてもよい。また、枠部３２１が合成樹脂でできている場合には、マグネットシートとスチールシートとを組み合わせたものとしてもよい。また、枠部３２１がスチールでできている場合には、マグネットシートだけとしてもよい。
【００１８】
なお、図２に示すように、着脱体２０１は、４本のＬ字状の部分と、２本の棒状の部分とからなるとしてもよい。この場合において、Ｌ字状の部分と棒状の部分の各部分については、枠部３２１の稜線３２２に合わせて、第２の構成要素２０１Ｂが配置されるとしてもよい。さらに、Ｌ字状の部分については、第２の構成要素２０１Ｂの角を稜線３２２の角に合わせて、第２の構成要素２０１Ｂが貼り付けられるとしてもよい。これによって、第２の構成要素２０１Ｂの位置合わせが容易になる。
【００１９】
＜まとめ＞
以上、本実施の形態によれば、着脱体２０１によって、画像表示装置３００に対して防塵パネル１００を容易に着脱することができる。特に、着脱体２０１に面ファスナーを使用することで、構成部品の点数が少なく、簡便な構成で、実現することができる。
【００２０】
また、枠状防塵フィルタ２０２で埃が遮蔽され、防塵パネル１００と画面３４０との間に埃が入り込まない。このため、画面３４０に埃が付着することを防止することができる。さらに、枠状防塵フィルタ２０２の内側に着脱体２０１が位置するので、着脱体２０１にも埃が付着することを防止することができる。
【００２１】
これらのことから、埃の多い屋外では、防塵パネル１００を画像表示装置３００に取り付けて、画面３４０に埃が付着することを防止することができる。埃の少ない屋内では、防塵パネル１００を画像表示装置３００から取り外して、画面３４０を見易くすることができる。
【００２２】
＜変形例＞
なお、防塵パネル１０の代わりに、防塵パネル１００を従来例の工業用制御装置１に取り付けるとしてもよい。この場合においては、筐体２０の枠部２１に第２の構成要素２０１Ｂが貼り付けられる。
【産業上の利用可能性】
【００２３】
本発明は、ＣＲＴや液晶ディスプレイなどの画像表示装置に埃が付着することを防止する防塵パネルなどとして、特に、構成部品の点数が少なく、簡便な取り付け構造で、着脱可能な防塵パネルなどとして利用することができる。
【図面の簡単な説明】
【００２４】
【図１】実施の形態における防塵パネルの背面側を示す斜視図と、その一部を拡大した部分拡大図である。
【図２】実施の形態における防塵パネルを画像表示装置に取り付ける様子を示す取付図である。
【図３】実施の形態における防塵パネルを画像表示装置に取り付けたときの取付箇所の断面を示す断面図である。
【図４】従来の工業用制御装置の断面を示す断面図である。
【符号の説明】
【００２５】
１  工業用制御装置
２０  筐体
２１  枠部
３０  画像表示装置
４０  画面
１００  防塵パネル  
１０２  防塵プレート
２０１  着脱体
２０１Ａ  第１の構成要素
２０１Ｂ  第２の構成要素
２０２  枠状防塵フィルタ
３００  画像表示装置
３２１  枠部
３２２  稜線
３４０  画面
【図１】
0005435997.tif 000002
【図２】
0005435997.tif 000003
【図３】
0005435997.tif 000004
【図４】
0005435997.tif 000005